(57)【要約】【課題】被収容物の視認可能な範囲を広げることが可能なブリスターパックを提供する。【解決手段】ブリスターパック１は、樹脂シートの成形品よりなり、被収容物である歯ブラシ４を収容する収容部５及び収容部５の周囲に接続されるフランジ部６を有する容器本体２と、容器本体２の収容部５及びフランジ部６を覆うように容器本体２に取り付けられるシート材３とを備える。シート材３には、光透過性を有する光透過領域として窓領域８が設けられ、窓領域以外の部分は遮光されている。【選択図】図１
2015044618.tif 000002
【特許請求の範囲】
【請求項１】
ブリスターパックであって、
樹脂シートの成形品よりなり、被収容物を収容する収容部及び収容部の周囲に接続されるフランジ部を有する容器本体と、
前記容器本体の前記収容部及び前記フランジ部を覆うように前記容器本体に取り付けられるシート材とを備え、
前記シート材には、光透過性を有する光透過領域と、遮光性を有する遮光領域とが設けられる、ブリスターパック。
【請求項２】
前記シート材の前記遮光領域の両面に印刷が施されており、
前記フランジ部に面する前記シート材の一方面と反対側の他方面に、前記ブリスターパックの正面であることを表示する印刷が施される、請求項１に記載のブリスターパック。
【請求項３】
前記光透過領域は、前記遮光領域によって囲まれる窓領域である、請求項１または２に記載のブリスターパック。
【請求項４】
前記シート材の遮光領域は金属蒸着層を含む、請求項１〜３のいずれかに記載のブリスターパック。
【請求項５】
前記シート材は、
第１の樹脂フィルムと、
前記第１の樹脂フィルムの一方面の前記遮光領域に積層される前記金属蒸着層と、
前記第１の樹脂フィルムの他方面の前記遮光領域に積層される第１の印刷インキ層と、
前記第１の印刷インキ層上に積層される第２の樹脂フィルムと、
前記金属蒸着層上に積層される第２の印刷インキ層と、
前記第１の印刷インキ層上に積層される第３の樹脂フィルムと、
前記第２の樹脂フィルム上または前記第３の樹脂フィルム上に積層されるシーラント層とを含み、
前記シーラント層が、前記容器本体の前記フランジ部にシールされる、請求項１〜４のいずれかに記載のブリスターパック。
【発明の詳細な説明】
【技術分野】
【０００１】
本発明は、ブリスターパックに関する。
【背景技術】
【０００２】
文房具や乾電池、歯ブラシ等のトイレタリー製品の包装容器として、ブリスターパックが用いられている（例えば、特許文献１参照）。
【０００３】
図４は、従来のブリスターパックに被収容物として歯ブラシを収容した状態を示す図である。より詳細には、図４（ａ）は、ブリスターパックの正面図であり、図４（ｂ）は、ブリスターパックの裏面図であり、図４（ｃ）は、ブリスターパックの側面図であって、図４（ｂ）のＢ−Ｂ’ラインから見た図である。
【０００４】
ブリスターパック９１は、容器本体９２と台紙９３とから構成されている。容器本体９２は、透明な樹脂シートの成形品よりなり、歯ブラシ９４を収容する凹部９５と、凹部の周縁部に接続される平坦なフランジ部９６とを有する。台紙９７は、紙や樹脂フィルム等からなり、容器本体９２の凹部９５の全体を覆うように、容器本体９２のフランジ部９６にシールされている。ブリスターパック９１の上部には、容器本体９２のフランジ部９６と台紙９３との重なり部を部分的に切り欠くことによって、フック９７が形成されている。商品の陳列時には、陳列棚のバーにフック９７を引っ掛けることによって、ブリスターパック９１を吊り下げることができる。
【０００５】
ここで、台紙９７の両面に印刷が施されている。より詳細には、台紙９７の両面のうち、容器本体９２のフランジ部９６側の面（図４（ａ）に示す面）が、商品陳列時の表側となるので、この面に歯ブラシ９４や歯ブラシ９４の特徴、パッケージの意匠等が印刷される。台紙９７の裏面（図４（ｂ）に示す面）には、バーコードや歯ブラシ９４の材質の表示、ブリスターパック９１の開封箇所を示す表示等が印刷される。また、ブリスターパック９１に収容される歯ブラシ９４は、図４（ａ）及び図４（ｃ）に示すように、商品陳列時に見せたい部分を容器本体９２の外側に向けて収容される。
【先行技術文献】
【特許文献】
【０００６】
【特許文献１】特開２００４−１１５１１２号公報
【発明の概要】
【発明が解決しようとする課題】
【０００７】
図４に示すようなブリスターパックでは、商品名や商品の特徴を印刷可能な箇所が台紙の両面に限られるため、台紙には両面印刷を施すことが一般的である。台紙に両面印刷を施す場合、一方面の印刷内容が他方面から透けて見えないように、台紙には遮光性が必要となる。
【０００８】
しかしながら、遮光性のある台紙を用いた場合、台紙の表側に面する被収容物の一部が見えにくいという問題がある。
【０００９】
それ故に、本発明は、被収容物の視認可能な範囲を広げることが可能なブリスターパックを提供することを目的とする。
【課題を解決するための手段】
【００１０】
本発明に係るブリスターパックは、樹脂シートの成形品よりなり、被収容物を収容する収容部及び収容部の周囲に接続されるフランジ部を有する容器本体と、容器本体の収容部及びフランジ部を覆うように容器本体に取り付けられるシート材とを備え、シート材には、光透過性を有する光透過領域と、遮光性を有する遮光領域とが設けられる。
【発明の効果】
【００１１】
本発明に係るブリスターパックによれば、被収容物の視認可能な範囲を広げることが可能となる。
【図面の簡単な説明】
【００１２】
【図１】実施形態に係るブリスターパックを示す図
【図２】図１に示したブリスターパックを構成するシート材の層構成を示す断面図
【図３】図２に示したシート材の製造方法の一例を示す断面図
【図４】従来のブリスターパックを示す図
【発明を実施するための形態】
【００１３】
（実施形態）
図１は、実施形態に係るブリスターパックに被収容物として歯ブラシを収容した状態を示す図である。より詳細には、図１（ａ）は、ブリスターパックの正面図であり、図１（ｂ）は、ブリスターパックの裏面図であり、図１（ｃ）は、ブリスターパックの側面図であって、図１（ｂ）のＡ−Ａ’ラインから見た図である。
【００１４】
ブリスターパック１は、容器本体２とシート材３とを備え、容器本体２とシート材３とで構成される空間に、被収容物である歯ブラシ４が収容されている。図１に示すように、歯ブラシ４は、毛が設けられた部分をシート材３側に向けて収容されている。
【００１５】
容器本体２は、歯ブラシ４を収容する収容部５と、収容部５の周囲に接続されるフランジ部６とを有する。収容部５は、フランジ部６を含む平面から凹んだ凹部として形成されており、被収容物である歯ブラシ４を収容可能な形状を有する。一例として、容器本体２は、ポリエチレンテレフタレート（ＰＥＴ）等の透明な樹脂シート（樹脂フィルム）の真空成形によって製造することができる。
【００１６】
シート材３は、容器本体２の平面形状と略対応する形状を有し、容器本体２の収容部５及びフランジ部６を覆った状態で、容器本体２のフランジ部６にシールされている。本実施形態のようにシート材３とフランジ部６とをシールする構成では、少なくとも収容部５の周縁部の周囲にあるフランジ部６の一部がシート材３にシールされていれば良く、ブリスターパック１の開封時の切掛けとなる箇所等に部分的に未シール箇所を設けても良い。
【００１７】
シート材３には、光透過性を有する光透過領域と、遮光性（被収容物の隠蔽性）を有する遮光領域とが設けられる。本実施形態では、光透過領域として窓領域８が設けられ、窓領域８以外の領域が遮光されている。したがって、本実施形態に係るブリスターパック１では、窓領域８を通してブリスターパック１に収容された歯ブラシ４の一部が視認可能である。
【００１８】
また、図１（ａ）及び図１（ｂ）に示すように、シート材３に設けられた窓領域８以外の領域、すなわち、遮光領域の両面に印刷が施されている。ただし、本実施形態に係るブリスターパック１においては、シート材３の両面のうち、容器本体２のフランジ部６にシールされる面とは反対側の面に、ブリスターパック１の正面（表側）であることを表示する印刷が施されている。また、本実施形態では、シート材３のフランジ部６にシールされる面に、バーコードや材質等の情報を表示する印刷が施されている。すなわち、本実施形態に係るブリスターパック１のシート材３における印刷内容は、図４に示した従来のブリスターパックの台紙の印刷内容と、表裏が逆になっている。
【００１９】
更に、ブリスターパック１の周縁部の一部には、容器本体２のフランジ部６とシート材３との重なり部を部分的に切り欠くことによってフック７が形成されている。フック７は、商品の陳列時に、陳列棚に設けられたバー等にブリスターパック１を吊り下げるために用いられるものである。尚、本実施形態に係るブリスターパック１は、シート材３が正面を向くように陳列される。
【００２０】
ここで、シート材３の層構成の詳細を説明する。
【００２１】
図２は、図１に示したブリスターパックを構成するシート材の層構成を示す断面図である。
【００２２】
シート材３は、第１の樹脂フィルム１１と、第１の樹脂フィルムの一方面（図２における下面）に積層される金属蒸着層１５と、第１の樹脂フィルムの他方面（図２における上面）の遮光領域に積層される第１の印刷インキ層２１と、第１の印刷インキ層上に積層される第２の樹脂フィルム１２と、金属蒸着層１５上に積層される第２の印刷インキ層２２と、第２の印刷インキ層２２上に積層される第３の樹脂フィルム１３と、第３の樹脂フィルム１３上に積層されるシーラント層１６とから構成される。
【００２３】
第１の樹脂フィルム１１、第２の樹脂フィルム１２及び第３の樹脂フィルム１３は、透明な樹脂フィルムである。第２の樹脂フィルム１２及び第３の樹脂フィルム１３は、第１の印刷インキ層２１及び第２の印刷インキ層２２をそれぞれ保護するためのものである。また、第１の樹脂フィルム１１、第２の樹脂フィルム１２及び第３の樹脂フィルム１３を積層することによって、シート材３に対して、紙と同程度の包装機に適したコシ（剛性）を付与することができる。第１の樹脂フィルム１１、第２の樹脂フィルム１２及び第３の樹脂フィルム１３には、例えば、ＰＥＴフィルムを利用できる。
【００２４】
金属蒸着層１５は、シート材３に遮光性を付与する層であり、例えば、アルミニウムの蒸着層である。金属蒸着層１５は、第１の樹脂フィルム１１の一方面のうち、窓領域８となる領域を除いた領域に積層されている。これにより、第１の樹脂フィルム１１のうち金属蒸着層１５を設けた領域は遮光性を有する遮光領域となり、金属蒸着層１５を設けていない領域は透明な第１の樹脂フィルム１１、第２の樹脂フィルム１２、第３の樹脂フィルム１３及びシーラント層１６を通じて光を透過できる光透過領域となる。
【００２５】
第１の印刷インキ層２１は、第１の樹脂フィルム１１における金属蒸着層１５が設けられた面とは反対側の面の遮光領域に印刷インキを印刷することによって形成され、ブリスターパック１の正面となる内容を表示する層である。一方、第２の印刷インキ層２２は、第１の樹脂フィルム１１に設けられた金属蒸着層１５上に印刷インキを印刷することによって形成される層である。
【００２６】
また、図２の例では、遮光領域上に第１の印刷インキ層２１を部分的に設けない領域９が形成されている。このように第１の印刷インキ層２１を形成することによって、図１（ａ）に示すように、領域９においては、第１の樹脂フィルム１１及び第２の樹脂フィルム１２を通じて金属蒸着層１５が見える。したがって、領域９を文字や所定の図形といった所望の形状とすることによって、シート材３の表側に金属光沢のある意匠を形成できる。尚、領域９と同様に、遮光領域上に第２の印刷インキ層２２が部分的にない領域を設けることによって、シート材３の裏側に金属光沢のある文字や図形等の意匠を施しても良い。また、遮光領域上にインキ層のない領域を設ける代わりに、他の部分より印刷層の厚みを薄くした領域や、他の部分より薄い色の印刷インキで印刷を施した領域を設けても良い。このように構成すれば、シート材３の表面または裏面の一部に、印刷インキを通じて金属蒸着層１５の金属光沢が透けて見える意匠を形成できる。
【００２７】
シーラント層１６は、容器本体２のフランジ部６にシート材３をシールするために用いられる層である。シーラント層１６には、例えば、イージーピールフィルムや、ホットメルトフィルムを利用できる。
【００２８】
図３は、図２に示したシート材の製造方法の一例を示す断面図である。
【００２９】
まず、図３（ａ）に示すように、第１の樹脂フィルム１１の一方面（図３における下面）に金属蒸着層１５を形成する。
【００３０】
次に、図３（ｂ）に示すように、第１の樹脂フィルム１１の両面に印刷を施して、光透過領域（窓領域８）となる領域以外に、第１の印刷インキ層２１及び第２の印刷インキ層２２を形成する。このとき、シート材３の表面に金属光沢のある意匠を施す場合は、遮光領域上に部分的に印刷インキのない領域９を形成する。図示していないが、シート材３の裏面に金属光沢のある意匠を施す場合は、第２の印刷インキ層２２側の遮光領域に印刷インキのない領域を設ければ良い。尚、第１の印刷インキ層２１及び第２の印刷インキ層２２の形成順序は任意で良い。
【００３１】
次に、図３（ｃ）に示すように、第１の印刷インキ層２１上に第２の樹脂フィルム１２を積層する。第１の印刷インキ層２１を設けた第１の樹脂フィルム１１と第２の樹脂フィルム１２の積層方法は特に限定されないが、例えば、ドライラミネート法を好適に利用できる。
【００３２】
次に、図３（ｄ）に示すように、第２の印刷インキ層２２から露出する金属蒸着層１５の一部を除去する。金属蒸着層１５の除去は、例えば、水酸化ナトリウム水溶液等のアルカリ溶液や硫酸等の強酸溶液を用いて露出した金属蒸着層１５を溶解除去した後、中和、水洗いを行うパスター加工を好適に利用できる。金属蒸着層１５を除去することによって、光透過性を有する光透過領域（窓領域８）が形成される。
【００３３】
尚、パスター加工時のアルカリ溶液あるいは酸溶液によって第２の印刷インキ層２２が浸食されないように、パスター加工で使用する溶液の液性に応じて、第２の印刷インキ層２２をアルカリ耐性あるいは酸耐性を有する印刷インキで形成することが好ましい。アルカリ耐性あるいは酸耐性を有する印刷インキで第２の印刷インキ層２２を形成することにより、パスター加工中に第２の印刷インキ層２２を保護するための保護ニス等の保護層を設ける必要がなく、製造工程の簡略化と低コスト化を実現できる。第２の印刷インキ層２２のアルカリ耐性あるいは酸耐性は、少なくともパスター加工中におけるアルカリ溶液あるいは酸溶液への浸漬時間中に、処理液による浸食に耐える程度であれば良い。一方、第１の印刷インキ層２１は、第２の樹脂フィルム１２によって保護されているので、第１の印刷インキ層２１に用いるインキは特に限定されない。また、第１の印刷インキ層２１はパスター加工中に浸食しないよう第２の樹脂フィルム１２によって保護されているので、正面となる第１の印刷インキ層２１の印刷に、アルカリ溶液や酸溶液によって腐食しやすい銀インキや金インキのようなアルミペーストを含むインキを用いることも可能となる。
【００３４】
次に、図３（ｅ）に示すように、第２の印刷インキ層２２上に第３の樹脂フィルム１３を積層する。第２の印刷インキ層２２を設けた第１の樹脂フィルム１１と第３の樹脂フィルム１３との積層方法は特に限定されないが、例えば、ドライラミネート法を好適に利用できる。
【００３５】
次に、図３（ｆ）に示すように、第３の樹脂フィルム１３上にシーラント層を形成することによって、光透過領域及び遮光領域を有するシート材３を得ることができる。第３の樹脂フィルム１３とシーラント層１６との積層方法は特に限定されないが、例えば、ドライラミネート法を好適に利用できる。
【００３６】
得られたシート材３とは別に、容器本体２は、樹脂シートの真空成形等で製造される。容器本体２の収容部５に歯ブラシ４を収容した後、得られたシート材３を容器本体２のフランジ部６にシールすることによって、ブリスターパック１に被収容物を収容した包装体（図１）が得られる。
【００３７】
以上説明したように、本実施形態に係るブリスターパック１では、シート材３に光透過領域である窓領域８が設けられているため、容器本体２側からだけでなく、シート材３の表側からも窓領域８を通じて、被収容物である歯ブラシ４の一部を視認することができる。したがって、本実施形態によれば、図４に示した従来の構成と比べて、被収容物の視認可能な範囲が広いブリスターパック１を実現できる。
【００３８】
また、シート材３のうち、窓領域８以外の部分は金属蒸着層１５によって遮光されているので、遮光領域の両面に印刷を施しても、一方面側の印刷内容が他方面側から透けて見えることがない。また、金属蒸着層１５によって遮光する場合、高い遮光性を得ることができるので、白色等の明度の高い色の発色が良好となる。したがって、白色を主体とした清涼感のある意匠などを実現することができ、意匠の自由度が向上する。
【００３９】
金属蒸着層１５の代わりに、遮光を目的とした印刷層を設けることで遮光領域を形成することも技術的には可能であるが、ブリスターパックで包装する被収容物によっては以下の理由により適さない場合がある。金属蒸着層１５と同程度の遮光性を実現するためには、黒色や灰色等の明度の低い印刷インキを用いると共に、印刷インキの塗布量を増やして遮光用の印刷層を厚く形成する必要がある。しかしながら、明度に低い印刷インキを遮光層として用いると、遮光層上に施す印刷の色がくすんで暗くなり、印刷したデザインが商品のイメージにそぐわない場合がある。また、印刷インキの塗布量を増やすと、シート材中に印刷インキ中の溶剤が残存しやすくなったり、樹脂フィルムのドライラミネートに用いる接着剤の希釈溶剤が印刷インキ層に残存しやすくなったりする。印刷インキ中の溶剤や接着剤の希釈溶剤が残存したシート材を用いると、ブリスターパックの作製後に残存した溶剤が揮発してブリスターパック内に充満し、開封時に臭気を生じる原因となる。溶剤に起因する臭気の発生は、歯ブラシ等のトイレタリー製品の包装に用いるブリスターパックには好ましくない。したがって、残存溶剤に起因する臭気の問題を解決し、かつ、印刷インキの発色性を向上させて優れたデザイン性を得ることができる点で、本実施形態のように遮光層として金属蒸着層１５を採用することが好ましい。
【００４０】
更に、本実施形態に係るブリスターパック１では、シート材３の両方の面のうち、容器本体２のフランジ部６に面した側と反対側の面に、陳列時に商品の正面であることを表示する印刷（第１の印刷インキ層２１）が施されている。図４に示した従来のブリスターパックでは、台紙における容器本体側の面が陳列時に商品の正面となるので、容器本体を通して商品の正面であることを示す印刷を表示することになる。この場合、容器本体に収容された被収容物によって台紙上の視認可能な領域が制限される上に、容器本体を通して台紙上の印刷内容を見ることになるため、印刷内容を見にくいという問題がある。これに対して、本実施形態に係るブリスターパック１では、シート材３における容器本体２とは反対側の面が正面となるので、被収容物によってシート材３正面の印刷領域が狭まることはなく、また、シート材３の正面が略平坦であるので印刷内容が見やすいブリスターパック１を実現できる。
【００４１】
更に、本実施形態に係るブリスターパック１では、光透過領域は、遮光領域に囲まれた窓領域８として形成されている。このように光透過領域を窓領域８とすることによって、ブリスターパック１の陳列時に、窓領域８を通じて見える部分に注目させることができる。
【００４２】
（その他の変形例）
尚、上記の実施形態では、透明な樹脂シート（樹脂フィルム）を用いて容器本体２を形成する例を説明したが、不透明な樹脂シート（樹脂フィルム）を用いて容器本体２を形成しても良い。この場合でも、シート材３に光透過領域が設けられることによって、全体が遮光されたシート材を用いる場合と比べて、被収容物の視認可能な範囲を広くすることができる。
【００４３】
また、上記の実施形態では、第１の樹脂フィルム１１におけるシーラント層１６側の面に金属蒸着層１５が設けられているが、シーラント層１６と反対側に金属蒸着層１５を設けても良い。言い換えれば、図３（ｅ）に示す工程の後、第３の樹脂フィルム上ではなく、第２の樹脂フィルム１２上にシーラント層１６を積層しても良い。
【００４４】
更に、上記の実施形態では、シート材３を容器本体２のフランジ部６にシールしたブリスターパック１を例示したが、シート材３はシール以外の方法で容器本体に取り付けられていても良い。例えば、フランジ部６の周縁部を折り曲げてシート材３をスライド自在に挿入したスライド式のブリスターパックに、本発明に係るシート材３の構成を採用しても良い。また、シート材３をステープラー等で容器本体２に取り付けた構成のブリスターパックに、本発明に係るシート材３の構成を採用しても良い。
【００４５】
更に、上記の実施形態では、光透過領域として、シート材３に楕円形状の窓領域８を１つ設けた例を説明したが、窓領域８の数及び形状は特に限定されない。また、光透過領域は、上記の実施形態のように遮光領域に全周を囲まれた形状でなくても良く、シート材３の周縁部の一部と、当該一部とは異なる周縁部の他の一部とを含む領域であっても良い。
【００４６】
更に、上記の実施形態では、シート材３における容器本体２側とは反対側の面に、ブリスターパック１の正面であることを表示する印刷を施す例を説明したが、シート材３における容器本体２側の面が陳列時の正面となるように両面印刷を施しても良い。この場合でも、ブリスターパック１に収容された被収容物の視認可能範囲が広がるという、本実施と同様の効果を得ることができる。また、この場合でも、遮光領域を金属蒸着層１５で形成することによって、金属蒸着層１５による優れた遮光性（被収容物の隠蔽性）や印刷インキの良好な発色性を得ることができる。
【００４７】
更に、上記の実施形態において、シート材３や容器本体２を形成するための樹脂シート及び樹脂フィルムは、必ずしも無色透明である必要はなく、光透過性があれば着色されていたり、半透明であったりしても良い。
【００４８】
更に、上記の実施形態では、第１の印刷インキ層２１または第２の印刷インキ層２２に印刷インキのない領域９を設けることによって金属蒸着層１５の金属光沢を意匠に利用する例を説明したが、領域９を設けるか否かは任意である。
【００４９】
更に、上記の実施形態では、ブリスターパック１の被収容物が歯ブラシである場合を例示したが、内容物は特に限定されず、歯ブラシ以外の被収容物を同様に収容した場合でも上記の実施形態と同様の効果が得られることは言うまでもない。
【００５０】
更に、上記の実施形態では、ブリスターパック１を陳列時に吊り下げるためのフック７が設けられているが、ブリスターパック１を直接バー等に吊り下げずに、台紙等に並べて貼り付けた状態で陳列される形態等では、フック７はなくても良い。
【産業上の利用可能性】
【００５１】
本発明は、歯ブラシ等のトイレタリー商品や、乾電池、文房具等を包装するためのブリスターパックに利用できる。
【符号の説明】
【００５２】
１  ブリスターパック
２  容器本体
３  シート材
４  歯ブラシ
５  収容部
６  フランジ部
８  窓領域
１１  第１の樹脂フィルム
１２  第２の樹脂フィルム
１３  第３の樹脂フィルム
１５  金属蒸着層
１６  シーラント層
２１  第１の印刷インキ層
２２  第２の印刷インキ層
【図１】
2015044618.tif 000003
【図２】
2015044618.tif 000004
【図３】
2015044618.tif 000005
【図４】
2015044618.tif 000006